(57)【特許請求の範囲】
【請求項１】
階層構造を表す階層構造データを入力し、前記階層構造データに基づく表示用の階層構造図を作成する階層構造表示システムであって、
前記階層構造データは前記階層構造図の全てのノードについての、ノード表示域情報と、１又は２以上のアイコン情報と、１又は２以上のテキスト情報と、１の親ノード情報とを含み、
前記ノード表示域情報は、前記階層構造図における当該ノードに係る情報を表示する領域（ノード表示域）のサイズを含み、
前記アイコン情報は、表示されるアイコンを表す情報及び該アイコンが前記ノード表示域において表示される位置の相対座標を含み、
前記テキスト情報は、表示されるテキストを表す情報及び該テキストが前記ノード表示域において表示される位置の相対座標を含み、
前記階層構造表示システムは、ノード座標計算手段と表示画像生成手段とを備え、
前記ノード座標計算手段は、前記階層構造図における各々のノードに係るノード表示域の座標を計算し、
前記表示画像生成手段は、前記階層構造図の部分である長方形の領域に関する表示用画像データを作成することを特徴とする階層構造表示システム。
【請求項２】
サーバ機上で動作し、
前記階層構造データを受信し、
前記表示用画像データを送信することを特徴とする、請求項１に記載の階層構造表示システム。
【請求項３】
クライアント端末において長方形の表示領域に階層構造を表示し、
前記表示用画像データは前記表示領域に表示される表示画像を含み、
前記表示領域の高さをｈ、幅をｗ、１回のスクロールによる最大移動距離をｄｙ（上下方向）、ｄｘ（左右方向）とするとき、
前記表示領域の周辺の上下にｈ’だけ（ｈ’≧ｄｙ）、左右にｗ’だけ（ｗ’≧ｄｘ）拡張した位置の画像を更に含むことを特徴とする、請求項２に記載の階層構造表示システム。
【請求項４】
クライアント端末上で動作し、長方形の表示領域に階層構造を表示するためのプログラムであって、
表示をスクロールされた際に、スクロール後に用いる画像のうちスクロール前に受信した表示用画像データに含まれないもののみを請求項３に記載の階層構造表示システムに送信させることを特徴とする、表示プログラム。
【請求項５】
請求項２〜４のいずれか1項に記載の階層構造表示システムを用いて会員間の階層構造を表示することを特徴とする、会員情報表示システム。
【請求項６】
マルチレベルマーケティングの会員の情報を表示し、
前記ノードは各々の会員に対応し、
前記親ノードは前記ノードの会員の紹介者であることを特徴とする、請求項５に記載の会員情報表示システム。
【請求項７】
各々の会員に対応するプロパティ情報を保有し、前記プロパティ情報に基づいて前記アイコン情報を定めることを特徴とする、請求項６に記載の会員情報表示システム。
【請求項８】
各々の会員に使用させ、表示される前記階層構造が使用している会員自身及び使用している会員から見て下位の会員に係るノードに限定されるように前記階層構造データを作成することを特徴とする、請求項６又は７に記載の会員情報表示システム。
【発明の詳細な説明】
【技術分野】
【０００１】
本発明は、階層構造を効率的に表示する階層構造表示システム、及び該階層構造表示システムを利用して会員情報を表示する会員情報表示システムに関する。
【背景技術】
【０００２】
例えば会社の組織図のように階層構造を持つ情報を表示する階層構造表示システムは広く知られている。実際、多くのプレゼンテーションソフトウェアには、組織図を作成・表示する機能が搭載されている。
【０００３】
階層構造表示システムは、データ数が多い場合には１画面において表示することができず、具体的な表示方法に工夫を要する。この点、例えば特許文献１には、カーソルの移動によって下位レベルのデータを展開表示及び省略表示するシステムが開示されている。
【０００４】
一方、データ数が多い場合に、例えば特許文献２に開示されるように、データを限定して表示することは開示されていた。しかし、特許文献１及び２に開示されたものは、表示される領域の面積に対応して多くのデータの詳細を表示するものではない。
【０００５】
階層構造表示システムの利用については、会社における組織図及び社員の情報の表示、何らかの組織における会員の情報の表示が考えられる。特に、近年注目を浴びているＳＮＳやマルチレベルマーケティング（例えば特許文献３を参照）においては多数の会員に係る情報を表示する。しかし、多数の会員に係る多様な情報をわかりやすく表示することは行われていなかった。
【先行技術文献】
【特許文献】
【０００６】
【特許文献１】特開平０６−３３７７６８号公報
【特許文献２】特開平１１−３４５２３４号公報
【特許文献３】特開２０１３−０８４２０９号公報
【発明の概要】
【発明が解決しようとする課題】
【０００７】
本発明は、階層構造を効率的に表示する階層構造表示システム及び該階層構造表示システムを利用して多数の会員に係る多様な情報をわかりやすく表示する会員情報表示システムを提供することを課題とする。
【課題を解決するための手段】
【０００８】
本発明の階層構造表示システムは、
階層構造を表す階層構造データを入力し、前記階層構造データに基づく表示用の階層構造図を作成する階層構造表示システムであって、
前記階層構造データは前記階層構造図の全てのノードについての、ノード表示域情報と、１又は２以上のアイコン情報と、１又は２以上のテキスト情報と、１の親ノード情報とを含み、
前記ノード表示域情報は、前記階層構造図における当該ノードに係る情報を表示する領域（ノード表示域）のサイズを含み、
前記アイコン情報は、表示されるアイコンを表す情報及び該アイコンが前記ノード表示域において表示される位置の相対座標を含み、
前記テキスト情報は、表示されるテキストを表す情報及び該テキストが前記ノード表示域において表示される位置の相対座標を含み、
前記階層構造表示システムは、ノード座標計算手段と表示画像生成手段とを備え、
前記ノード座標計算手段は、前記階層構造図における各々のノードに係るノード表示域の座標を計算し、
前記表示画像生成手段は、前記階層構造図の部分である長方形の領域に関する表示用画像データを作成することを特徴とする。
【０００９】
階層構造データに基づいて、表示用画像データを作成する。実際の画像データを作成しないノード座標計算手段の処理は、データ数が多い場合であっても実行容易である。一方、実際の画像データを作成する表示画像生成手段の処理は計算量とメモリ容量に制約される。データ数が多い場合には全てのノードを含む画像データが一時に表示されるものではない。そこで、一時に表示される部分（又はその周辺を含む部分）である長方形の領域に関する表示用画像データを作成する。
ノード座標計算手段の処理のために、ノード表示域情報を用いる。
また、表示においてノードがいかなる表示となるかも、表示を見るユーザの理解を容易にするために重要である。主として視覚的な認識を容易ならしめるアイコン情報と、主として詳細な情報を伝達するテキスト情報とを、各々のノードについて用いる。
【００１０】
本発明の階層構造表示システムは、
サーバ機上で動作し、
前記階層構造データを受信し、
前記表示用画像データを送信することを特徴とする。
【００１１】
本発明の階層構造表示システムをインターネットサービスとして活用できる。
【００１２】
本発明の階層構造表示システムは、
クライアント端末において長方形の表示領域に階層構造を表示し、
前記表示用画像データは前記表示領域に表示される表示画像を含み、
前記表示領域の高さをｈ、幅をｗ、１回のスクロールによる最大移動距離をｄｙ（上下方向）、ｄｘ（左右方向）とするとき、
前記表示領域の周辺の上下にｈ’だけ（ｈ’≧ｄｙ）、左右にｗ’だけ（ｗ’≧ｄｘ）拡張した位置の画像を更に含むことを特徴とする。
【００１３】
データ数が多い場合には、全ノードに係る画像を１画面において表示することができず、ユーザがスクロール操作を行って画像を移動することがある。この場合、クライアント端末がサーバ機上で動作する階層構造表示システムから表示用画像データを受信することがスクロール操作のレスポンスを悪化させてしまう可能性がある。そこで、マウス又はタブレット端末のタップによるスクロール操作によって表示され得る画像を予めクライアント端末に送信しておく。
この場合、表示画像の上下左右にスクロール距離と同じだけのサイズの分だけの画像（ｄｘ＝ｈ’、ｄｙ＝ｗ’）又はそれよりも大きい画像（ｄｘ＜ｈ’、ｄｙ＜ｗ’）を、表示用画像データとして予め送信すればよい。
なお、ｄｘ及びｄｙの値（１回のスクロールによる最大移動距離）は、クライアント端末の機能による。スクロールを行うボタンの押下によってスクロールを行いｄｘ及びｄｙの値が固定される場合、ドラッグによるスクロールを行いｄｘ＝ｈ、ｄｙ＝ｗである場合、その他の場合が考えられる。
【００１４】
本発明の表示プログラムは、
クライアント端末上で動作し、長方形の表示領域に階層構造を表示するためのプログラムであって、
表示をスクロールされた際に、スクロール後に用いる画像のうちスクロール前に受信した表示用画像データに含まれないもののみを階層構造表示システムに送信させることを特徴とする。
【００１５】
必要な画像のみをオンデマンドで受信する。
ここで、「スクロール後に用いる画像」には、スクロール後に表示領域に表示される画像に加えて、将来のスクロールに備えて保持する画像（上下にｈ’だけ、左右にｗ’だけ）拡張した位置の画像も含む。
【００１６】
本発明の会員情報表示システムは、
前記クライアント端末上で動作し、
階層構造表示システムを用いて会員間の階層構造を表示することを特徴とする。
【００１７】
会社の社員、ＳＮＳの利用者、マルチレベルマーケティングの会員については、組織上の上下関係、友達関係、紹介者と被紹介者の関係により、会員間の階層構造が存在する。かかる会員間の階層構造は重要な情報であり、それを表示することにメリットがある。これら以外にも、会員間の階層構造が存在する場合がある。
なお、「会員」とは、個人又は法人であればよく、「会員」の語によって類推される「何らかのコミュニティに自発的に登録している者」に限定されるものではない。
【００１８】
本発明の会員情報表示システムは、
マルチレベルマーケティングの会員の情報を表示し、
前記ノードは各々の会員に対応し、
前記親ノードは前記ノードの会員の紹介者であることを特徴とする。
【００１９】
マルチレベルマーケティングにおいては、会員間の階層構造を知りたい場合が多い。
【００２０】
本発明の会員情報表示システムは、
各々の会員に対応するプロパティ情報を保有し、前記プロパティ情報に基づいて前記アイコン情報を定めることを特徴とする。
【００２１】
マルチレベルマーケティングにおいては、購入金額その他会員の活動実績を表すプロパティがある。これらのプロパティは、テキスト情報として表示することも可能であるが、アイコンの相違によって（例えば色彩の異なるアイコンの区別によって）表示することで理解を容易にする。
【００２２】
本発明の会員情報表示システムは、
各々の会員に使用させ、表示される前記階層構造が使用している会員自身及び使用している会員から見て下位の会員に係るノードに限定されるように前記階層構造データを作成することを特徴とする。
【００２３】
マルチレベルマーケティングにおいては、各々の会員の情報を他の会員に開示しないことが好ましい場合も多い。各会員が表示することのできる階層構造を該会員から見て下位の会員に係るノードに限定し、好ましくない情報開示を防止する。
【発明の効果】
【００２４】
本発明の階層構造表示システムは、階層構造を効率的に表示することができる。発明の実装の形態によって、インターネットサービスとして活用することができ、クライアント端末におけるスクロール操作のレスポンスを保つことができる。
【００２５】
本発明の表示プログラムは、必要な画像のみをオンデマンドで取得し、高レスポンスで画像を表示することができる。
【００２６】
本発明の会員情報表示システムは、会員間の階層構造を効率的に表示することができる。発明の実装の形態によって、マルチレベルマーケティングにおける紹介者・被紹介者の関係を表示することができ、会員のプロパティを表示することができ、好ましくない情報開示を防止することができる。
【図面の簡単な説明】
【００２７】
【図１】図１は、階層構造表示システムの構成を示す図である。
【図２】図２は、階層構造データを示す図である。
【図３】図３は、ノード表示域情報を示す図である。
【図４】図４は、アイコンデータを示す図である。
【図５】図５は、テキスト仕様を示す図である。
【図６】図６は、ノード座標計算手段の処理を示す図である。
【図７】図７は、ノード座標データを示す図である。
【図８】図８は、表示画像生成手段の処理を示す図である。
【図９】図９は、表示画像生成手段の処理を示す図である。
【図１０】図１０は、表示用画像データを示す図である。
【図１１】図１１は、クライアント端末の画面を示す図である。
【図１２】図１２は、クライアント端末の画面と表示用画像データの関係を示す図である。
【図１３】図１３は、スクロールの処理を示す図である。
【図１４】図１４は、会員情報表示システムの構成を示す図である。
【図１５】図１５は、クライアント端末の画面を示す図である。
【図１６】図１６は、表示用画像データを示す図である。
【図１７】図１７は、階層構造データを示す図である。
【発明を実施するための形態】
【００２８】
以下、本発明の実施形態を、説明する。
【実施例１】
【００２９】
図１は、階層構造表示システムの構成を示す図である。階層構造表示システム１とクライアント端末２とが、インターネットを介して接続されている。図には１つのみのクライアント端末２を表示しているが、複数であってもよい。
【００３０】
階層構造表示システム１は、階層構造データ１１をクライアント端末２から受信し、表示用画像データ１８をクライアント端末２に送信する。
【００３１】
階層構造表示システム１は、ノード座標計算手段１３及び表示画像生成手段１５を備え、ノード表示域情報１２、アイコンデータ１６及びテキスト仕様１７を保持している。また、ノード座標計算手段１３によって生成され、表示画像生成手段１５によって使用されるノード座標データ１４を用いる。
【００３２】
階層構造表示システム１は、クライアント端末２から階層構造データ１１を受信する。図２は、階層構造データを示す図である。図は説明のために６つのノードに関するデータのみを示しているが、実際の利用においては多数（例えば１０，０００以上）のノードに関するデータが使用される。
図において、各行に１ノード分のデータを示す。各ノードには固有のＩＤが付され、親ノードのＩＤ、ノード表示域情報のＩＤ、アイコンのＩＤ、テキスト仕様のＩＤ及びテキストが、各ノードに関連付けられ得る。ここで、アイコンのＩＤ及びテキスト仕様のＩＤは、データが存在しないかもしれず、１個かもしれず、２個以上かもしれない。また、テキストの数はテキスト仕様のＩＤと同数である。
【００３３】
図３は、ノード表示域情報を示す図である。ノード表示域情報１２は、固有のＩＤ、及びノードに関連する情報を表示する領域（本実施例では、長方形である。）の幅と高さを含む。
なお、本実施例においては複数のクライアント端末で共通のノード表示域情報１２を階層構造表示システム１が保持するものとしたが、各クライアント端末に固有のノード表示域の設定を行わせるため、階層構造データ１１にノード表示域情報１２を含めて、階層構造表示システム１がクライアント端末２から受信することとしてもよい。
【００３４】
図４は、アイコンデータを示す図である。アイコンデータ１６は、ＩＤ、アイコンの画像（図では画像そのものを示すが、実態としては画像ファイルのファイル名である。）及びノード内でアイコンが表示される箇所のＸ座標とＹ座標（本実施例では、長方形のアイコン画像の左上の頂点がノード表示領域の左上の頂点からどれだけ右方向（Ｘ座標）と下方向（Ｙ座標）に変位するかの値である。
【００３５】
図５は、テキスト仕様を示す図である。ＩＤ、ノード内Ｘ座標、ノード内Ｙ座標、幅及び高さ、アイコンデータと同様である。テキスト仕様１７は、これらの外に、テキストのフォントを指定する情報を含む。なお、フォント以外の書式（例えば、行内で左揃えか中央揃えか）を含んでもよい。
【００３６】
ノード座標計算手段１３は、階層構造データ１１及びノード表示域情報１２から、ノード座標１４を生成する。具体的には、階層構造データ１１に含まれるそれぞれのノードに対して、ノード表示域情報１２に指定される長方形の領域を以下の条件を満たすように割り当てる。（１）複数のノードの領域が重ならない。（２）同一の親ノードを持つ子ノードは横方向に隣接する。
【００３７】
図６は、ノード座標計算手段の処理を示す図である。ノード座標計算手段１３は、兄ノード（同一の親ノードを持つ既に領域を割り当てられたノード）が存在する場合には、ステップＳ１においてその兄ノード（複数の兄ノードがある場合には最後に領域を割り当てられた兄ノード）の右隣に処理しているノードの領域を割り当て、その領域の左上隅の座標を計算する。兄ノード（同一の親ノードを持つ既に領域を割り当てられたノード）が存在しない場合には、ステップＳ２において親ノードの真下に処理しているノードの領域を割り当て、その領域の左上隅の座標を計算する。この際、処理しているノードの領域は親ノードの領域に隣接させずに、下に離れた箇所であることが好ましい。ノードの関連を示す線（又は矢印、以下「接続ライン」と言う。）を描くスペースを確保するものである。
【００３８】
図７は、ノード座標データを示す図である。図２に示された階層構造データ１１及び図３に示されたノード表示域情報１２による計算の結果である。なお、ステップＳ２において親ノードの真下に処理しているノードの領域を割り当てる際、親ノードの領域と処理しているノードの領域との間に１０ｍｍの間隔を持たせた。
【００３９】
表示画像生成手段１５は、階層構造データ１１、ノード座標データ１４、アイコンデータ１６及びテキスト仕様１７に基づいて、表示用画像データ１８を生成する。具体的には、それぞれのノードについて、ノード座標データ１４及びアイコンデータ１６によって定まる位置にアイコンを描画し、ノード座標データ１４及びテキスト仕様１７によって定まる位置に階層構造データ１１に指定されたテキストを描画し、階層構造データ１１に従って親ノードと子ノードとの間の接続ラインを描画する。
【００４０】
図８は、表示画像生成手段の処理を示す図である。表示画像生成手段１５は、ステップＳ３において、表示範囲を計算する。多数のノードが存在する場合に全ノードに係る描画を行うと画像が大きすぎるので、クライアント端末２で必要とする範囲のみを表示範囲とする。このため、クライアント端末２から階層構造表示システム１に向けて、必要とする範囲を示す情報を、階層構造データ１１と共に又は階層構造データ１１の後に送信する。
クライアント端末２は、一つの階層構造データ１１に対して２つ以上の表示画像を表示することが多い。この場合、最初に階層構造データ１１を送信し、階層構造表示システム１から階層構造データ１１を同定するノード座標ＩＤを受信して、２回目からはノード座標ＩＤと必要とする範囲を示す情報を送信するようにすれば、効率が良い。大きなデータである階層構造データ１１の送受信及びその階層構造表示システム１による処理を省略できるからである。
【００４１】
必要とする範囲を示す情報としては、例えば、表示する縮尺、表示する長方形の左上の頂点の座標、表示する幅ｗと高さｈを送信する。必要とする範囲を示す情報を階層構造データ１１の後で複数回送信することで、階層構造データ１１を替えずに表示するノードのみを替えることを容易にすることができる。
【００４２】
表示画像生成手段１５は、ステップＳ３において、長方形の表示範囲として、Ｘ座標の最大値と最小値、及びＹ座標の最大値と最小値を計算し、これを記憶する。その際、クライアント端末の指定する表示する縮尺、表示する長方形の左上の頂点の座標、表示する幅ｗと高さｈを、ｍｍ単位の数値であるノード座標１４に合わせる変換を行う。
表示画像生成手段１５は、記憶したＸ座標の最大値と最小値、及びＹ座標の最大値と最小値の範囲のものについてのみ、アイコン、テキスト及び接続ラインを描画する。
【００４３】
図１０は、表示用画像データを示す図である。図２に示された階層構造データ１１、図４に示されたアイコンデータ１６、図５に示されたテキスト仕様１７及び図７に示されたノード座標データ１４による計算の結果である。
【００４４】
図１１は、クライアント端末の画面を示す図である。クライアント端末２では表示域２１に幅ｗ、高さｈの画像が表示されている。
【００４５】
図１２は、クライアント端末の画面と表示用画像データの関係を示す図である。クライアント端末の表示域に表示されるデータは、幅ｗ、高さｈの長方形２３内のものである。クライアント端末２は６つの表示用画像データ１８を受信し、幅（ｗ＋２ｗ’）、高さ（ｈ＋２ｈ’）の画像を保持している。幅方向にｗ’、高さ方向にｈ’までのスクロール操作があっても新たな画像を受け取らずに表示することができ、レスポンスが良い。
【００４６】
図１１の表示において、スクロール操作２２の矢印で示すスクロール（マウスの左ボタンを押したままで移動、タブレット型コンピュータにおいては指先を画面に触れたままで移動）が行われたとする。
図１３は、スクロールの処理を示す図である。長方形２３が２３ａから２３ｂに移動する。クライアント端末２は、移動後の長方形２３ｂに対し、幅方向にｗ’、高さ方向にｈ’までのスクロール操作に対応できるよう、図に灰色で示された長方形の部分に係る表示用画像データ１８を階層構造表示システム１に要求し、これを受信する。
【実施例２】
【００４７】
実施例１に示した階層構造表示システム１を利用して、マルチレベルマーケティングの会員情報を表示するものである。階層構造表示システム１については実施例１と同様であり、詳細な説明を省略する。
【００４８】
図１４は、会員情報表示システムの構成を示す図である。会員情報表示システム３は、サーバ上で動作している。会員は、クライアント端末２から会員情報表示システム３を利用する。会員情報表示システム３は、会員情報表示手段３１及び会員プロパティデータ３２を備える。会員情報表示手段３１は、階層構造表示システム１を利用する。ただし、表示用画像データ１８は会員情報表示システム３を介さずに階層構造表示システム１からクライアント端末２に直接に送信される。このように、階層構造データ１及び表示用画像データ１８の送受信の経路は任意に定めてよい。
【００４９】
図１５は、クライアント端末の画面を示す図である。表示域３３に、会員の紹介・被紹介の関係が図示され、各会員の購入額が表示されている。なお、矢印は、紹介した会員から紹介された会員に向いている。
会員の氏名と購入商品の選択の欄がある。関係を表示すべき会員と購入額を表示すべき商品を選択して表示ボタン３４をクリックすることで、選択に合わせた表示となる。
【００５０】
関係を表示すべき会員は、選択された会員及びその下位の会員に限定する。開示すべきでない個人情報等の表示を行わないことができる。会員に固有のＩＤとパスワードによって会員情報表示システム３にログインするものとし、ログインした会員及びその下位の会員のみが表示されるようにすることが好ましい。
【００５１】
図１６は、表示用画像データを示す図である。会員プロパティデータ３２には、各会員の紹介・被紹介の関係及び商品別購入金額を含むデータが保持されている。会員情報表示手段３１は、選択に合わせ、会員プロパティデータ３２を用いて、図の表示に相当する階層構造データ１１を生成して、階層構造表示システム１に送信する。図１７は、階層構造データを示す図である。
【００５２】
アイコンは、購入金額の大小によって色分けされている。図では網掛けによって色分けを示す。また、購入金額が０である会員については、▼のアイコンが付されている。会員情報表示手段３１は、購入金額を計算して階層構造データ１１のアイコンを定める。
各会員の活動が、視覚的に表され、容易に把握できる。
【００５３】
（実施例の拡張）
実施例を説明したが、本発明は、「特許請求の範囲」に記載した範囲内で他の実施形態が考えられる。かかる実施形態も本発明の技術的範囲に属する。以下、実施例を拡張する例を、確認的に示す。
【００５４】
階層構造表示システムが稼動しクライアント端末と通信するサーバは、実施例１（図１）のようにホームページ用のサーバと共通であっても、実施例２（図１４）のようにホームページ用のサーバと別々であってもよい。実施例１においてホームページ用のサーバと別々とすること、実施例２においてホームページ用のサーバと共通とすることができる。
【００５５】
実施例においては、クライアント端末の画面と表示用画像データの関係（画面に対して幅方向にｗ’、高さ方向にｈ’だけ拡張した画像をクライアント端末が保持すること）をクライアント端末において管理したが、階層構造表示システムが管理することもできる。画面に対して幅方向にｗ’、高さ方向にｈ’だけ拡張した画像を表示用画像データとして送信するような設計も可能である。
【００５６】
図６に示した処理、図１０に示した画像は、それぞれ一例である。処理手順は多様なもの（例えば、末端のノードから処理を開始するもの）があり、画像も多様なもの（例えば、実施例では子ノードの左に描かれている親ノードを左右方向に子ノードの中央に配置するもの）がある。
【産業上の利用可能性】
【００５７】
本発明の階層構造表示システムは、階層構造を効率的に表示することができる。発明の実装の形態によって、インターネットサービスとして活用することができ、クライアント端末におけるスクロール操作のレスポンスを保つことができる。多くの企業、ＳＮＳ運営者、マルチレベルマーケティング運営者、ソフトウェア開発事業者による利用が考えられる。
【００５８】
本発明の会員情報表示システムは、会員間の階層構造を効率的に表示することができる。発明の実装の形態によって、マルチレベルマーケティングにおける紹介者・被紹介者の関係を表示することができ、会員のプロパティを表示することができ、好ましくない情報開示を防止することができる。多くのマルチレベルマーケティング運営者による利用が考えられる。
【符号の説明】
【００５９】
１      階層構造表示システム
１１    階層構造データ
１３    ノード座標計算手段
１５    表示画像生成手段
１８    表示用画像データ
２      クライアント端末
２１    表示領域
３      階層構造表示システム
３２    会員プロパティデータ
【図１】
0005992891.tif 000002
【図２】
0005992891.tif 000003
【図３】
0005992891.tif 000004
【図４】
0005992891.tif 000005
【図５】
0005992891.tif 000006
【図６】
0005992891.tif 000007
【図７】
0005992891.tif 000008
【図８】
0005992891.tif 000009
【図９】
0005992891.tif 000010
【図１０】
0005992891.tif 000011
【図１１】
0005992891.tif 000012
【図１２】
0005992891.tif 000013
【図１３】
0005992891.tif 000014
【図１４】
0005992891.tif 000015
【図１５】
0005992891.tif 000016
【図１６】
0005992891.tif 000017
【図１７】
0005992891.tif 000018